(57)【要約】【課題】作業が簡単でありながら費用を抑えることができる柵体連結構造、連結体、柵体連結方法を提供する。【解決手段】第１柵体１０と、該第１柵体１０の幅方向に幅方向が交差する向きで前記第１柵体１０の幅方向の何れかの位置に幅方向一端部が連結される第２柵体２０と、前記第１柵体１０と第２柵体２０とを連結する連結体３０とを備えてなり、該連結体３０は、前記第１柵体１０に取り付けられる第１取付部３１と、前記第２柵体２０に取り付けるための取付面３３１を有する第２取付部３３とを備えてなり、前記第２取付部３３の取付面３３１は、前記第２柵体２０の面２１ａに沿って形成されていることを特徴とする。【選択図】図１
2009243197.tif 000002
【特許請求の範囲】
【請求項１】
第１柵体と、該第１柵体の幅方向に幅方向が交差する向きで前記第１柵体の幅方向の何れかの位置に幅方向一端部が連結される第２柵体と、前記第１柵体と第２柵体とを連結する連結体とを備えてなり、
該連結体は、前記第１柵体に取り付けられる第１取付部と、前記第２柵体に取り付けるための取付面を有する第２取付部とを備えてなり、
前記第２取付部の取付面は、前記第２柵体の面に沿って形成されていることを特徴とする柵体連結構造。
【請求項２】
前記第２取付部は、前記第１柵体の面に交差する方向に突出して形成される板形状であり、その表面又は裏面の何れか一方又は両方が前記取付面となっており、該取付面は、第２柵体の幅方向及び高さ方向に沿って形成されていることを特徴とする請求項１に記載の柵体連結構造。
【請求項３】
前記第２柵体は、網目状に形成される柵本体と、該柵本体の高さ方向一端部に形成される筒状の胴縁部とを備えてなり、前記第２取付部は、その取付面が前記柵本体の表面又は裏面に沿った状態で、前記胴縁部の内部に収容されていることを特徴とする請求項１又は２に記載の柵体連結構造。
【請求項４】
第１柵体の幅方向と第２柵体の幅方向とが交差するように、第１柵体の幅方向の何れかの位置と第２柵体の幅方向一端部とを連結することができるように構成されてなり、
前記第１柵体の幅方向の何れかの位置に取り付けることができる第１取付部と、前記第２柵体に取り付けるための取付面を有する第２取付部とを備えてなり、
前記第２取付部の取付面は、前記第２柵体を取り付ける際に当該第２柵体の面に沿うように構成されていることを特徴とする連結体。
【請求項５】
第１柵体の幅方向と第２柵体の幅方向とが交差するように、第１柵体の幅方向の何れかの位置に第２柵体の幅方向一端部を連結する柵体連結方法であって、
第１柵体の幅方向の何れかの位置に設けられる取付面に前記第２柵体の面を沿わせて前記第１柵体に前記第２柵体を連結することを特徴とする柵体連結方法。
【請求項６】
前記取付面は、前記第２柵体の幅方向及び高さ方向に沿って形成されており、当該取付面に前記第２柵体の面を沿わせた状態で、前記第２柵体をその高さ方向下方側又は表裏方向に移動させて前記第１柵体に前記第２柵体を連結することを特徴とする請求項５に記載の柵体連結方法。
【請求項７】
前記第２柵体は、網目状に形成される柵本体と、該柵本体の高さ方向一端部に形成される筒状の胴縁部とを備えてなり、該胴縁部の周面部には、第２柵体の高さ方向下方側に開口したスリット部が軸線方向に沿って形成されており、
前記取付面は、前記第１柵体の面に交差する方向に突出して形成される板状の第２取付部の表面又は裏面の何れか一方又は両方であり、
前記第２取付部の取付面に前記柵本体の表面又は裏面を沿わせた状態で、前記第２柵体をその高さ方向下方側に移動させて前記第２取付部を前記スリット部から前記胴縁部の内部に収容することによって、前記第１柵体に前記第２柵体を連結することを特徴とする請求項５又は６に記載の柵体連結方法。
【発明の詳細な説明】
【技術分野】
【０００１】
本発明は、柵体の連結構造、及び該連結構造に用いられる連結体、柵体の連結方法に関する。
【背景技術】
【０００２】
従来、敷地間或いは敷地内を適宜間仕切るために柵体が広く用いられている。かかる柵体は、地面に立設された一対の支柱に幅方向両端部がそれぞれ取り付けられて設置され、例えば塀等を形成することができる。
【０００３】
ところで、近年、例えば先に敷地の外縁を他の敷地と間仕切っておき、その後に、敷地の用途等に応じて当該敷地内を所望の形態に間仕切りたいという要望がある。かかる要望に応じるためには、先に設置された柵体（第１柵体）に新たな柵体（第２柵体）を連結しなければならない、具体的には、前記第２柵体を、その幅方向が前記第１柵体の幅方向に交差する向きで前記第１柵体の幅方向の何れかの位置に連結しなければならない場合がある。
【発明の開示】
【発明が解決しようとする課題】
【０００４】
このような場合、従来は、第２柵体を取り付けるための支柱を、第２柵体を設置する位置に新たに立設して当該支柱に第２柵体を取り付けたり、或いは、第１柵体に第２柵体を針金などで縛り付けたりしなければならないのが実情であり、そのため、作業負担が大きい上に費用が嵩んでしまう。
【０００５】
そこで、本発明は、上記実情に鑑みてなされ、作業が簡単でありながら費用を抑えることができる柵体連結構造、連結体、柵体連結方法を提供することを課題とする。
【課題を解決するための手段】
【０００６】
本発明は、上記課題を解決すべくなされたものであり、本発明に係る柵体連結構造は、第１柵体と、該第１柵体の幅方向に幅方向が交差する向きで前記第１柵体の幅方向の何れかの位置に幅方向一端部が連結される第２柵体と、前記第１柵体と第２柵体とを連結する連結体とを備えてなり、該連結体は、前記第１柵体に取り付けられる第１取付部と、前記第２柵体に取り付けるための取付面を有する第２取付部とを備えてなり、前記第２取付部の取付面は、前記第２柵体の面に沿って形成されていることを特徴とする。
【０００７】
該構成の柵体連結構造にあっては、前記取付面が第２柵体の面に沿って形成されている連結体を備えるので、第１柵体に取り付けられている連結体の取付面に第２柵体の面を沿わせて当該第２柵体を連結体に取り付けることにより第１柵体と第２柵体とを連結することができる。よって、従来のように、第２柵体を取り付けるための支柱を新たに立設して当該支柱に第２柵体を取り付けたり、第１柵体に第２柵体を針金などで縛り付けたりするといった煩雑な作業を要さず、従って、当該連結にかかる手間を省くことができると共に費用を抑えることができる。
【０００８】
特に、前記第２取付部は、前記第１柵体の面に交差する方向に突出して形成される板形状であり、その表面又は裏面の何れか一方又は両方が前記取付面となっており、該取付面は、第２柵体の幅方向及び高さ方向に沿って形成されていることが好ましい。
【０００９】
更に、前記第２柵体は、網目状に形成される柵本体と、該柵本体の高さ方向一端部に形成される筒状の胴縁部とを備えてなり、前記第２取付部は、その取付面が前記柵本体の表面又は裏面に沿った状態で、前記胴縁部の内部に収容されていることが好ましい。
【００１０】
また、本発明に係る連結体は、第１柵体の幅方向と第２柵体の幅方向とが交差するように、第１柵体の幅方向の何れかの位置と第２柵体の幅方向一端部とを連結することができるように構成されてなり、前記第１柵体の幅方向の何れかの位置に取り付けることができる第１取付部と、前記第２柵体に取り付けるための取付面を有する第２取付部とを備えてなり、前記第２取付部の取付面は、前記第２柵体を取り付ける際に当該第２柵体の面に沿うように構成されていることを特徴とする。
【００１１】
該構成の連結体にあっては、前記第２取付部の取付面が第２柵体を取り付ける際に当該第２柵体の面に沿うように構成されているので、前記第１取付部を第１柵体に取り付け、前記第２取付部の取付面に第２柵体の面を沿わせて当該第２取付部を第２柵体に取り付けることによって、第１柵体と第２柵体とを連結することができる。よって、従来のように、第２柵体用の支柱を新たに立設して当該支柱に第２柵体を取り付けたり、第１柵体に第２柵体を針金などで縛り付けたりするといった煩雑な作業を要さず、従って、当該連結にかかる手間を省くことができると共に費用を抑えることができる。
【００１２】
また、本発明に係る柵体連結方法は、第１柵体の幅方向と第２柵体の幅方向とが交差するように、第１柵体の幅方向の何れかの位置に第２柵体の幅方向一端部を連結する柵体連結方法であって、第１柵体の幅方向の何れかの位置に設けられる取付面に前記第２柵体の面を沿わせて前記第１柵体に前記第２柵体を連結することを特徴とする。
【００１３】
該柵体連結方法によれば、前記取付面に前記第２柵体の面を沿わせて前記第１柵体に前記第２柵体を連結するので、従来のように、第２柵体用の支柱を新たに立設して当該支柱に第２柵体を取り付けたり、第１柵体に第２柵体を針金などで縛り付けたりするといった煩雑な作業を要さず、従って、当該連結にかかる手間を省くことができると共に費用を抑えることができる。
【００１４】
更に、前記取付面は、前記第２柵体の幅方向及び高さ方向に沿って形成されており、当該取付面に前記第２柵体の面を沿わせた状態で、前記第２柵体をその高さ方向下方側又は表裏方向に移動させて前記第１柵体に前記第２柵体を連結することが好ましい。
【００１５】
また更に、前記第２柵体は、網目状に形成される柵本体と、該柵本体の高さ方向一端部に形成される筒状の胴縁部とを備えてなり、該胴縁部の周面部には、第２柵体の高さ方向下方側に開口したスリット部が軸線方向に沿って形成されており、前記取付面は、前記第１柵体の面に交差する方向に突出して形成される板状の第２取付部の表面又は裏面の何れか一方又は両方であり、前記第２取付部の取付面に前記柵本体の表面又は裏面を沿わせた状態で、前記第２柵体をその高さ方向下方側に移動させて前記第２取付部を前記スリット部から前記胴縁部の内部に収容することによって、前記第１柵体に前記第２柵体を連結することが好ましい。
【発明の効果】
【００１６】
このように、本発明に係る柵体連結構造にあっては、前記取付面が第２柵体の面に沿って形成されている連結体を備えるので、第１柵体に取り付けられている連結体の取付面に第２柵体の面を沿わせて当該第２柵体を連結体に取り付けることにより第１柵体と第２柵体とを連結することができ、従って、当該連結にかかる手間を省くことができると共に費用を抑えることができる結果、作業が簡単でありながら費用を抑えることができるという効果を奏する。
【００１７】
また、本発明に係る連結体にあっては、前記第２取付部の取付面が第２柵体を取り付ける際に当該第２柵体の面に沿うように構成されているので、前記第１取付部を第１柵体に取り付け、第２取付部の取付面に第２柵体の面を沿わせて当該第２取付部を第２柵体に取り付けることによって、第１柵体と第２柵体とを連結することができ、従って、当該連結にかかる手間を省くことができると共に費用を抑えることができる結果、作業が簡単でありながら費用を抑えることができるという効果を奏する。
【００１８】
更に、本発明に係る柵体連結方法にあっては、前記取付面に前記第２柵体の面を沿わせて前記第１柵体に前記第２柵体を連結するので、当該連結にかかる手間を省くことができると共に費用を抑えることができる結果、作業が簡単でありながら費用を抑えることができるという効果を奏する。
【発明を実施するための最良の形態】
【００１９】
以下、本発明に係る柵体連結構造、及び該構造に用いられる連結体、柵体連結方法の一実施形態について、図面を参照しつつ詳細に説明する。
図１に、本実施形態における柵体連結構造１が示されている。該柵体連結構造１は、第１柵体１０と、該第１柵体１０の幅方向に幅方向が交差する向きで前記第１柵体１０の幅方向の何れかの位置に幅方向一端部が連結される第２柵体２０と、前記第１柵体１０と第２柵体２０とを連結する連結体３０とを備える。
【００２０】
第１柵体１０は、図１及び２に示すように、格子状に形成される所謂メッシュフェンスであり、網目状に形成される第１柵本体１１と、該第１柵本体１１の高さ方向両端部に形成される第１胴縁部１２とを備える。
【００２１】
第１柵本体１１は、網目状に形成される平面状の格子体である。具体的には、第１柵本体１１は、高さ方向に沿って形成される縦線材１１１を幅方向に所定間隔を空けて複数並べ、幅方向に沿って形成される横線材１１２を、前記複数の縦線材１１１を幅方向に横切るように、高さ方向に所定間隔を空けて複数並べ、これらの縦線材１１１と横線材１１２とを溶接して互いに固定してなる。
【００２２】
尚、第１柵本体１１の表面１１ａと裏面１１ｂとは、各々高さ方向及び幅方向に沿って形成される平面であり、互いに平行となっている。また、縦線材１１１の幅方向の所定間隔は、横線材１１２の高さ方向の所定間隔よりも小さい。
【００２３】
第１胴縁部１２は、その断面形状が円形状に形成されてなる筒状体であり、その周面部１３が網目状に形成されてなる格子体である。具体的には、第１胴縁部１２は、網目状の格子体を軸線周りに湾曲させた周面部１３にて形成される筒状体であり、環状に形成された環状線材１３１を軸線方向に所定間隔を空けて同軸状に複数並べ、軸線方向に沿って形成される横線材１３２を、前記複数の環状線材１３１を軸線方向に横切るように、環状線材１３１の周方向に所定間隔を空けて複数並べ、これらの環状線材１３１と横線材１３２とを溶接して互いに固定してなる。
【００２４】
また、第１胴縁部１２の周面部１３には、軸線方向に沿ってスリット部１３３が形成されている。このスリット部１３３は、第１胴縁部１２の内部と外部とを径方向に沿って連通するものであり、軸線方向全域に亘って形成されている。尚、かかるスリット部１３３は、前記複数の環状線材１３１を途中で途切れた環状とする、つまり、複数の環状線材１３１のそれぞれの両端部間を離間させることで形成される。
【００２５】
尚、第１胴縁部１２の内面１２ａと外面１２ｂとは、前記軸線周りに形成される筒状面である。また、環状線材１３１の軸線方向の所定間隔は、前記第１柵本体１１の縦線材１１１の幅方向の所定間隔と等しく、横線材１３２の周方向の所定間隔は、環状線材１３１の軸線方向の所定間隔よりも小さい。よって、横線材１３２の周方向の所定間隔は、前記縦線材１１１の幅方向の所定間隔よりも小さい。
【００２６】
かかる第１胴縁部１２は、前記第１柵本体１１の高さ方向一端部である上端部に、軸線方向が幅方向となり、しかも、前記スリット部１３３が高さ方向下方側に開口する向きで接続されている。具体的には、第１胴縁部１２を形成する環状線材１３１の一端部が第１柵本体１１を形成する縦線材１１１の上端部に接続されることにより、第１胴縁部１２と第１柵本体１１とは一体的に接続されている。尚、第１胴縁部１２は、第１柵本体１１の幅方向全域に亘って形成されている。
【００２７】
また、第１胴縁部１２は、前記第１柵本体１１の高さ方向他端部である下端部にも設けられており、その向きは、軸線方向が幅方向となり、スリット部１３３が高さ方向上方側に開口する向きである。尚、下方側の第１胴縁部１２も、上方側の第１胴縁部１２と同様に、第１柵本体１１と一体的に接続されている。
【００２８】
第２柵体２０は、図１及び３に示すように、格子状に形成される所謂メッシュフェンスであり、網目状に形成される柵本体としての第２柵本体２１と、該第２柵本体２１の高さ方向両端部に形成される胴縁部としての第２胴縁部２２とを備える。
【００２９】
第２柵本体２１は、網目状に形成される平面状の格子体である。具体的には、第２柵本体２１は、高さ方向に沿って形成される縦線材２１１を幅方向に所定間隔を空けて複数並べ、幅方向に沿って形成される横線材２１２を、前記複数の縦線材２１１を幅方向に横切るように、高さ方向に所定間隔を空けて複数並べ、これらの縦線材２１１と横線材２１２とを溶接して互いに固定してなる。
【００３０】
尚、第２柵本体２１の表面２１ａと裏面２１ｂとは、各々高さ方向及び幅方向に沿って形成される平面であり、互いに平行となっている。また、縦線材２１１の幅方向の所定間隔は、横線材２１２の高さ方向の所定間隔よりも小さい。
【００３１】
第２胴縁部２２は、その断面形状が円形状に形成されてなる筒状体であり、その周面部２３が網目状に形成されてなる格子体である。具体的には、第２胴縁部２２は、網目状の格子体を軸線周りに湾曲させた周面部２３にて形成される筒状体であり、環状に形成された環状線材２３１を軸線方向に所定間隔を空けて同軸状に複数並べ、軸線方向に沿って形成される横線材２３２を、前記複数の環状線材２３１を軸線方向に横切るように、環状線材２３１の周方向に所定間隔を空けて複数並べ、これらの環状線材２３１と横線材２３２とを溶接して互いに固定してなる。
【００３２】
また、第２胴縁部２２の周面部２３には、軸線方向に沿ってスリット部２３３が形成されている。このスリット部２３３は、第２胴縁部２２の内部と外部とを径方向に沿って連通するものであり、軸線方向全域に亘って形成されている。尚、かかるスリット部２３３は、前記複数の環状線材２３１を途中で途切れた環状とする、つまり、複数の環状線材２３１のそれぞれの両端部間を離間させることで形成される。
【００３３】
尚、第２胴縁部２２の内面２２ａと外面２２ｂとは、前記軸線周りに形成される筒状面である。また、環状線材２３１の軸線方向の所定間隔は、前記第２柵本体２１の縦線材２１１の幅方向の所定間隔と等しく、横線材２３２の周方向の所定間隔は、環状線材２３１の軸線方向の所定間隔よりも小さい。よって、横線材２３２の周方向の所定間隔は、前記縦線材２１１の幅方向の所定間隔よりも小さい。
【００３４】
かかる第２胴縁部２２は、前記第２柵本体２１の高さ方向一端部である上端部に、軸線方向が幅方向となり、しかも、前記スリット部２３３が高さ方向下方側に開口する向きで接続されている。具体的には、第２胴縁部２２を形成する環状線材２３１の一端部が第２柵本体２１を形成する縦線材２１１の上端部に接続されることにより、第２胴縁部２２と第２柵本体２１とは一体的に接続されている。尚、第２胴縁部２２は、第２柵本体２１の幅方向全域に亘って形成されている。
【００３５】
また、第２胴縁部２２は、前記第２柵本体２１の高さ方向他端部である下端部にも設けられており、その向きは、軸線方向が幅方向となり、スリット部２３３が高さ方向上方側に開口する向きである。尚、下方側の第２胴縁部２２も、上方側の第２胴縁部２２と同様に、第２柵本体２１と一体的に接続されている。
【００３６】
また、本実施形態における第２柵体２０は、前記第１柵体１０との連結を補助する補助体２４を更に備える。具体的には、第２柵体２０は、第２胴縁部２２の内部に収納される内補助体２５と、第２胴縁部２２の外面２２ｂに取り付けられる外補助体２６とを更に備える。
【００３７】
内補助体２５は、図４（Ａ）及び（Ｂ）に示すように、断面矩形状の筒状体であり、高さ方向に対向する天板部２５１及び底板部２５２と、幅方向に対向する一側板部２５３及び他側板部２５３とを備える。
【００３８】
天板部２５１には、その内面側から外面側へ凹設されてなる係合凹部２５１１が設けられている。この係合凹部２５１１は、天板部２５１の幅方向略中央の位置に設けられており、内補助体２５の軸線方向全域に亘って形成されている。
【００３９】
底板部２５２には、内補助体２５の軸線方向に沿ってスリット部２５２１が設けられている。このスリット部２５２１は、底板部２５２の幅方向略中央の位置に設けられており、内補助体２５の軸線方向全域に亘って形成されている。よって、かかるスリット部２５２１と前記天板部２５１に形成されている係合凹部２５１１とは高さ方向に対向して配置されている。また、本実施形態では、スリット部２５２１の幅方向両縁部には、天板部２５１へ向けて突設される係合壁部２５２２がそれぞれ設けられている。
【００４０】
また、前記一側板部２５３と前記他側板部２５３には、内補助体２５の幅方向に貫通する挿通孔２５３１がそれぞれ形成されている。この挿通孔２５３１は、内補助体２５の軸線方向に長い長孔であり、一側板部２５３の挿通孔２５３１と他側板部２５３の挿通孔２５３１とは同心状となっている。
【００４１】
外補助体２６は、図５（Ａ）及び（Ｂ）に示すように、Ｕ字状の帯状体であり、その幅方向に対向する一対の締付部２６１と、両締付部２６１の一端部同士を連結する連結部２６２とを備える。
【００４２】
締付部２６１は、外補助体２６の幅方向に対向して一対設けられており、両締付部２６１にて第２胴縁部２２を径方向に締め付けることができるように構成されている。また、各締付部２６１には、外補助体２６の幅方向で同心状となる締付孔２６１１がそれぞれ形成されている。また、締付部２６１には、外補助体２６の幅方向外側へ凹設されてなる係合凹部２６１２が設けられており、本実施形態では、締付部２６１の一端部及び他端部にそれぞれ設けられている。
【００４３】
連結部２６２は、第２胴縁部２２の外面２２ｂに沿うように、両締付部２６１の一端部間に亘って形成されている。本実施形態では、連結部２６２は、湾曲した形状となっており、その一部に切欠部２６２１が形成されて前記両締付部２６１が互いに接離可能となる弾性力が付与されている。
【００４４】
連結体３０は、前記第１柵体１０の幅方向の何れかの位置に前記第２柵体２０を連結することができるように構成されている。この連結体３０は、図６（Ａ）乃至（Ｃ）に示すように、平面視略Ｌ字形状の連結金具であり、短片である第１取付部３１が前記第１柵体１０に取り付け可能に構成され、第１取付部３１の長さ方向の一端部に連設される長片としての第２取付部３３が前記第２柵体２０に取り付け可能に構成されている。
【００４５】
第１取付部３１は、前記第１柵体１０を取り付けるための第１取付面３１１を備えてなる。具体的には、第１取付部３１は、板状に形成されてなり、その表面が第１取付面３１１として前記第１胴縁部１２の外面１２ｂに取付可能となっている。尚、第１取付面３１１は平面状である。また、第１取付部３１の板形状は、前記第２胴縁部２２の断面形状よりも小さい形状となっている。つまり、第１取付部３１の長さ方向の寸法と、幅方向の寸法とは、第２胴縁部２２の径よりも小さくなっている。
【００４６】
また、本実施形態では、第１取付部３１には、第１胴縁部１２の外面１２ｂに係合可能な係合凹部３１２が、第１取付部３１の長さ方向に沿って形成されている。尚、本実施形態では、係合凹部３１２は、第１取付部３１の幅方向両端部にそれぞれ形成されている。また、第１取付部３１には、固定用孔３１３が形成されており、具体的には、固定用孔３１３は、前記一対の係合凹部３１２の間の領域に形成されている。
【００４７】
尚、本実施形態では、第１取付部３１を第１柵体１０に固定するための固定片３２が設けられている。この固定片３２は、第１取付部３１と同幅の板状体であり、その幅方向両端部には、第１胴縁部１２の外面１２ｂに係合可能な係合凹部３２１が長さ方向に沿ってそれぞれ設けられている。また、固定片３２には、前記一対の係合凹部３２１の間の領域に固定用孔３２２が形成されている。
【００４８】
第２取付部３３は、前記第２柵体２０を取り付けるための取付面としての第２取付面３３１を備えてなる。具体的には、第２取付部３３は、第１取付部３１の第１取付面３１１に交差する方向に突設される板形状であり、その表面３３ａ及び裏面３３ｂが各々平面状に形成されると共に互いに平行に形成され、各面が第２取付面３３１として前記第２柵体２０に取付可能となっている。
【００４９】
尚、第２取付部３３の幅方向の寸法は、前記第２胴縁部２２の径よりも小さくなっている。尚、第２取付部３３の幅方向の寸法は、第１取付部３１の幅方向の寸法よりも若干大きく、また、第２取付部３３の長さ方向の寸法は、第１取付部３１の長さ方向の寸法よりも大きくなっている。
【００５０】
また、本実施形態では、第２取付部３３には、第２柵体２０の位置決めをするための係合部３３２がその長さ方向に沿って形成されている。具体的には、係合部３３２は、第２取付部３３の幅方向両端部にそれぞれ形成されている。また、第２取付部３３には、固定用孔３３３が形成されており、具体的には、固定用孔３３３は、前記一対の係合部３３２の間の領域に形成されている。尚、固定用孔３３３は、第２取付部３３の長さ方向に長い長孔となっている。
【００５１】
続いて、第１柵体１０と第２柵体２０とを連結する柵体連結方法について、図７乃至１０を参酌して説明する。まず、図７に示すように、第１柵体１０の幅方向何れかの位置に連結体３０を取り付ける。具体的には、第１柵体１０の第１胴縁部１２に連結体３０の第１取付部３１を取り付ける。本実施形態では、第１柵体１０の幅方向略中央の位置において、第１取付部３１の第１取付面３１１を第１胴縁部１２の外面１２ｂに沿わせた状態とし、第１取付部３１に形成されている係合凹部３１２を第１胴縁部１２の周面部１３を形成している横線材１３２に嵌め込む。
【００５２】
そして、第１胴縁部１２に対して第１取付部３１と対向する位置に固定片３２を配置し、該固定片３２の係合凹部３２１を第１胴縁部１２の周面部１３を形成している横線材１３２に嵌め込み、第１取付部３１と固定片３２とをボルトにて締め付ける。尚、第１柵体１０は、その幅方向両端部が一対の支柱（図示しない）にそれぞれ取り付けられた既設状態でも、そうでない未設状態でも、何れの状態であってもよい。
【００５３】
これにより、連結体３０は、第１胴縁部１２の外面１２ｂに取り付けられる。尚、かかる状態で、第２取付部３３は、第１柵体１０の面、具体的には、第１柵本体１１の表面１１ａ又は裏面１１ｂに交差する方向に突出した状態となる。具体的には、第２取付部３３の長さ方向が第１柵本体１１の表面１１ａ又は裏面１１ｂから突出する方向となり、第２取付部３３の幅方向が第１柵体１０の高さ方向に平行となる。よって、第２取付部３３の取付面としての第２取付面３３１は、第１柵本体１１の表裏方向及び高さ方向に沿った面となる。
【００５４】
次に、図８及び９に示すように、第２柵体２０の上下一対の第２胴縁部２２の内部に内補助体２５をそれぞれ収納する。具体的には、内補助体２５の軸線方向が第２胴縁部２２の軸線方向と平行となり、内補助体２５の高さ方向が第２胴縁部２２の径方向（具体的には、第２胴縁部２２の高さ方向）と平行となり、更に、内補助体２５のスリット部２５２１と第２胴縁部２２のスリット部２３３とが高さ方向で対向した状態で、内補助体２５は第２胴縁部２２の軸線方向の一端部の内部に収納される。
【００５５】
つまり、高さ方向上側の第２胴縁部２２の軸線方向の一端部の内部に収納される内補助体２５は、スリット部２５２１が高さ方向下方側に開口するように収納され、一方、高さ方向下側の第２胴縁部２２の軸線方向の一端部の内部に収納される内補助体２５は、スリット部２５２１が高さ方向上方側に開口するように収納される。
【００５６】
そして、かかる第２柵体２０を、前記第１柵体１０に取り付けられた連結体３０の第２取付部３３に取り付ける。具体的には、第２取付部３３の取付面としての第２取付面３３１に、第２柵体２０の面としての第２柵本体２１の表面２１ａ又は裏面２１ｂを沿わせた状態（具体的には、第２取付面３３１と第２柵本体２１の表面２１ａ又は裏面２１ｂとが平行な状態）とし、かかる第２柵体２０をその高さ方向下方側へ移動させ（矢印Ｘ１）、第２取付部３３を第２胴縁部２２のスリット部２３３から挿入して当該第２胴縁部２２の軸線方向の一端部の内部に収容する。
【００５７】
ここで、第２胴縁部２２の軸線方向の一端部の内部には、内補助体２５が収納されており、そのスリット部２５２１が下方側に開口しているので、第２胴縁部２２のスリット部２３３から挿入された第２取付部３３は、内補助体２５のスリット部２５２１から該内補助体２５の内部に収容される。かかる状態で、第２取付部３３の幅方向両端部に形成されている各々の係合部３３２は、一方の係合部３３２（具体的には、内補助体２５の天板部２５１に近い方の係合部３３２）が内補助体２５の天板部２５１の係合凹部２５１１に嵌り、他方の係合部３３２（具体的には、内補助体２５の底板部２５２に近い方の係合部３３２）が一対の係合壁部２５２２の間の隙間に嵌った状態となる。
【００５８】
そして、内補助体２５が収納されている位置に対応する第２胴縁部２２の外面２２ｂに、外補助体２６が嵌め込まれる。具体的には、外補助体２６は、その連結部２６２が第２胴縁部２２のスリット部２３３を周方向に跨ぎ、一対の締付部２６１にて第２胴縁部２２を挟み込むように、第２胴縁部２２の外面２２ｂに取り付けられる。このとき、締付部２６１に形成されている各係合凹部２６１２は、第２胴縁部２２の周面部２３を形成している横線材２３２にそれぞれ嵌まり込む。そして、一方の締付部２６１の締付孔２６１１から内補助体２５の各挿通孔２５３１と第２取付部３３の固定用孔３３３とを通して他方の締付部２６１の締付孔２６１１までボルトを通して締め付ける。
【００５９】
かかる締め付けによって、第２胴縁部２２が径方向内側へ締め付けられると共に内補助体２５が内側へ締め付けられ、これにより、第２取付部３３の他方の係合部３３２が、第２取付面３３１としての表面３３ａ側及び裏面３３ｂ側から一対の係合壁部２５２２に挟み込まれ、第２取付部３３の一方の係合部３３２が、天板部２５１の係合凹部２５１１に係合し、第２取付部３３に第２柵体２０が固定される。
【００６０】
こうして、第１柵体１０の高さ方向に対して第２柵体２０の高さ方向が位置合わせされる（具体的には、平行にする）。即ち、本実施形態における内補助体２５と外補助体２６とは、第１柵体１０に取り付けられた連結体３０を締め付けることによって第１柵体１０に対して第２柵体２０を位置決めすることができるように構成されている。
【００６１】
最後に、図１０に示すように、第１柵体１０の高さ方向下方側の第１胴縁部１２と第２柵体２０の高さ方向下方側の第２胴縁部２２とを連結する。具体的には、連結体３０の第２取付面３３１を第２柵体２０の面に沿わせた状態、より詳細には、第２取付面３３１を第２柵本体２１の表面２１ａ又は裏面２１ｂに平行にした状態で、連結体３０を高さ方向下方側へ移動させ（矢印Ｘ１）、該連結体３０の第２取付部３３を第２胴縁部２２のスリット部２３３から挿入して当該第２胴縁部２２の軸線方向の一端部の内部に収容する。
【００６２】
ここで、高さ方向下方側の第２胴縁部２２の軸線方向の一端部の内部には、内補助体２５が収納されており、そのスリット部２５２１が上方側に開口しているので、第２胴縁部２２のスリット部２３３から挿入された第２取付部３３は、内補助体２５のスリット部２５２１から該内補助体２５の内部に収容される。
【００６３】
かかる状態で、第２取付部３３の幅方向両端部に形成されている各々の係合部３３２は、一方の係合部３３２（具体的には、内補助体２５の天板部２５１に近い方の係合部３３２）が内補助体２５の天板部２５１の係合凹部２５１１に嵌り、他方の係合部３３２（具体的には、内補助体２５の底板部２５２に近い方の係合部３３２）が一対の係合壁部２５２２の間の隙間に嵌った状態となる。
【００６４】
そして、内補助体２５が収納されている位置に対応する第２胴縁部２２の外面２２ｂに、外補助体２６が嵌め込まれる。具体的には、外補助体２６は、その連結部２６２が第２胴縁部２２のスリット部２３３を周方向に跨ぎ、一対の締付部２６１にて第２胴縁部２２を挟み込むように、第２胴縁部２２の外面２２ｂに取り付けられる。
【００６５】
このとき、締付部２６１に形成されている各係合凹部２６１２は、第２胴縁部２２の周面部２３を形成している横線材２３２にそれぞれ嵌まり込む。そして、一方の締付部２６１の締付孔２６１１から内補助体２５の各挿通孔２５３１と第２取付部３３の固定用孔３３３とを通して他方の締付部２６１の締付孔２６１１までボルトを通して締め付ける。
【００６６】
かかる締め付けによって、第２胴縁部２２が径方向内側へ締め付けられると共に内補助体２５が内側へ締め付けられ、第２取付部３３の他方の係合部３３２が、第２取付面３３１としての表面３３ａ側及び裏面３３ｂ側から一対の係合壁部２５２２に挟み込まれ、第２取付部３３の一方の係合部３３２が、天板部２５１の係合凹部２５１１に係合し、第２取付部３３に第２柵体２０が固定される。
【００６７】
以上の手順により、第１柵体１０の幅方向と第２柵体２０の幅方向とが交差した向きで、第１柵体１０の幅方向の何れかの位置と第２柵体２０の幅方向一端部とが連結され、第１柵体１０と第２柵体２０とが連結される。
【００６８】
以上のような構成の柵体連結構造１及び連結体３０にあっては、第１取付部３１を第１柵体１０に取り付け、第２取付部３３の取付面としての第２取付面３３１に第２柵本体２１の表面２１ａ又は裏面２１ｂを沿わせて当該第２柵体２０を第２取付部３３に取り付けるので、従来のように、第２柵体２０を取り付けるための支柱を新たに立設して当該支柱に第２柵体２０を取り付けたり、第１柵体１０と第２柵体２０とを針金などで縛り付けたりせずとも、第１柵体１０の幅方向と第２柵体２０の幅方向とが交差した向きで、第１柵体１０の幅方向の何れかの位置と第２柵体２０の幅方向一端部とを連結して、第１柵体１０と第２柵体２０とを連結することができる。従って、作業が簡単でありながら費用を抑えることができる。
【００６９】
更に、第２柵体２０を、その面を第２取付面３３１に沿わせた状態でその高さ方向下方側へ移動させて第２取付部３３に取り付けるので、例えば、第１柵体１０と該第１柵体１０に対向して設置されている住居の壁等との間に隙間なく第２柵体２０を設けることができる。即ち、第２柵体２０を、その面を第２取付面３３１に沿わせた状態で、その幅方向に移動させて第２取付部３３に取り付ける場合には、その移動の分だけ第２柵体２０の幅方向の大きさを小さくしておかなければ、当該移動を確保できず、従って、第２柵体２０を取り付けることができない。そのため、かかる移動の分だけ第２柵体２０の幅方向の大きさを小さくするのであるが、そうすると、取り付けた状態において、小さくした分だけ第２柵体２０と第１柵体１０又は住居の壁等との間に隙間が生じてしまう。
【００７０】
一方、第２柵体２０を、その面を第２取付面３３１に沿わせた状態でその高さ方向下方側へ移動させて第２取付部３３に取り付ける場合には、第２柵体２０の幅方向の大きさを第１柵体１０と住居の壁等との間の隙間の大きさに合わせた大きさとしても、移動の妨げとなることはなく、従って、第１柵体１０と住居の壁等との間に隙間なく第２柵体２０を設けることができる。
【００７１】
また更に、第１取付部３１は、第２胴縁部２２の断面形状より小さい形状であるので、第１胴縁部１２の外面１２ｂと第２胴縁部２２の軸線方向一端面との間の隙間に配置される。一方、第２取付部３３は、第２胴縁部２２の内部に収容される。従って、連結体３０は外部に露出しない。故に、怪我や事故を防止することができ、また見栄えを良くすることができる。
【００７２】
また、上述のような柵体連結方法によれば、第１取付部３１を第１柵体１０に取り付け、第２取付部３３の第２取付面３３１に第２柵本体２１の表面２１ａ又は裏面２１ｂを沿わせて当該第２柵体２０を第２取付部３３に取り付けるので、当該連結作業を簡単に行うことができると共に費用を抑えることができる。
【００７３】
尚、本実施形態では、第１胴縁部１２及び第２胴縁部２２の双方が円筒形状である場合について説明したが、これに限らず、何れか一方又は双方が断面多角形状の筒形状であってもよい。或いは、筒形状とせず、例えば図１１に示すように、断面円弧状の板形状とすることもできる。
【００７４】
また、本実施形態では、第２取付部３３の第２取付面３３１が第２柵本体２１の表面２１ａ又は裏面２１ｂに沿って形成される場合について説明したが、これに限らず、第２胴縁部２２の内面２２ａ又は外面２２ｂに沿って形成されてもよい。
【００７５】
具体的には、例えば、図１１に示すように、第２取付面３３１が第２胴縁部２２の内面２２ａの一部に沿う場合であってもよい。具体的には、第２胴縁部２２を断面円弧状の板形状に形成する一方で、第２胴縁部２２の外面２２ｂに沿う補助板３４を準備する。尚、補助板３４は、第２取付部３３と同幅の板状体であり、その幅方向両端部に第２胴縁部２２の外面２２ｂに係合可能な係合凹部３４１がそれぞれ設けられている。また、補助板３４には、前記一対の係合凹部３４１の間の領域に固定用孔３４２が形成されている。
【００７６】
そして、第２胴縁部２２の内面２２ａに第２取付部３３の第２取付面３３１を沿わせた状態で、第２柵体２０をその表裏方向（具体的には、第２柵本体２１の表裏方向（矢印Ｘ２））に移動させて第２取付面３３１と第２胴縁部２２の内面２２ａとを当接させる。尚、図１１に示す例においては、第２取付部３３の表面３３ａのみが第２取付面３３１となっている。
【００７７】
そして、第２胴縁部２２の外面２２ｂに補助板３４を当接させて第２取付部３３と補助板３４とで第２胴縁部２２（具体的には、第２胴縁部２２を形成する横線材２３２）を挟み込み、ボルト及びナットで締め付ける。これにより、第２取付部３３に第２胴縁部２２が取り付けられる。
【００７８】
このように、第２柵体２０を、その面を第２取付面３３１に沿わせた状態でその表裏方向へ移動させて第２取付部３３に取り付けることにより、例えば、第１柵体１０と該第１柵体１０に対向して設置されている住居の壁等との間に隙間なく第２柵体２０を設けることができる。尚、図１１に示す例においては、内補助体２５や外補助体２６は設けられていない。
【００７９】
更に、本実施形態では、第２取付部３３が板形状である場合について説明したが、これに限らず、円筒形状とすることもできる。従って、第２取付面３３１は、平面状である場合に限らず、曲面状とすることもできる。
【００８０】
具体的には、例えば、図１２（Ａ）及び（Ｂ）に示すように、第２取付部３３を、その長さ方向に沿って軸線が形成される円筒形状に形成し、その外周面である円筒面を第２取付面３３１とする。尚、図１２（Ａ）及び（Ｂ）に示す例では、第２胴縁部２２も円筒形状に形成されており、第２取付部３３の外径は、第２胴縁部２２の内径と同等又は若干小さくなっている。尚、第２胴縁部２２にはスリット部２３３は形成されていない。
【００８１】
そして、第２胴縁部２２の内面２２ａに第２取付面３３１を沿わせた状態、具体的には、第２胴縁部２２の内面２２ａである円筒面と第２取付面３３１である円筒面とを同軸とした状態で、第２柵体２０をその幅方向（具体的には、第２胴縁部２２の軸線方向）に移動させ、第２胴縁部２２の内部に第２取付部３３を挿入する。そして、第２胴縁部２２の外面２２ｂに前記外補助体２６を取り付けてボルト及びナットで両締付部２６１を締付けて当該第２胴縁部２２を挟み込む。これにより、第２取付部３３に第２胴縁部２２が取り付けられる。尚、図１２（Ａ）及び（Ｂ）に示す例においては、内補助体２５は設けられていない。
【００８２】
また更に、本実施形態では、連結体３０が第１胴縁部１２と第２胴縁部２２とを連結する場合について説明したが、これに限らず、第１柵本体１１と第２柵本体２１とを連結する場合であってもよい。
【００８３】
また、本実施形態では、第１柵本体１１及び第２柵本体２１がそれぞれ縦線材と横線材とで構成される場合について説明したが、これに限らず、斜めに形成される複数の斜線材を交差させて構成してもよい。
【００８４】
更に、本実施形態では、第１柵本体１１（第２柵本体２１）と第１胴縁部１２（第２胴縁部２２）とが一体となっている場合について説明したが、これに限らず、別体としてもよい。
【００８５】
また更に、本実施形態では、第１柵本体１１及び第２柵本体２１と、第１胴縁部１２及び第２胴縁部２２とがそれぞれ同一形状である場合について説明したが、これに限らず、それぞれ異なる形状としてもよい。
【図面の簡単な説明】
【００８６】
【図１】本発明に係る柵体連結構造の一実施形態を示す斜視図である。
【図２】同柵体連結構造が備える第１柵体を示す断面図である。
【図３】同柵体連結構造が備える第２柵体を示す断面図である。
【図４】同柵体連結構造が備える内補助体を示す図であり、（Ａ）は正面図、（Ｂ）は側面図である。
【図５】同柵体連結構造が備える外補助体を示す図であり、（Ａ）は正面図、（Ｂ）は側面図である。
【図６】本発明に係る連結体の一実施形態を示す図であり、（Ａ）は正面図、（Ｂ）は平面図、（Ｃ）は側面図である。
【図７】本発明に係る柵体連結方法を示す図であり、第１柵体に連結体を取り付ける様子を示す斜視図である。
【図８】同柵体連結方法を示す図であり、第１柵体に取り付けられた連結体に第２柵体を取り付ける様子を示す斜視図である。
【図９】連結体と第２柵体との取り付け状態を示す断面図である。
【図１０】同柵体連結方法を示す図であり、第１柵体の下端部と第２柵体の下端部とを連結体にて連結する様子を示す斜視図である。
【図１１】他の実施形態に係る連結体と第２柵体との取り付け状態を示す断面図である。
【図１２】（Ａ）及び（Ｂ）は、それぞれ、他の実施形態に係る連結体と第２柵体との取り付け状態を示す断面図である。
【符号の説明】
【００８７】
１…柵体連結構造、１０…第１柵体、１１…第１柵本体、１２…第１胴縁部、２０…第２柵体、２１…第２柵本体、２２…第２胴縁部、２４…補助体、２５…内補助体、２６…外補助体、３０…連結体、３１…取付部、３２…固定片、３３…第２取付部、３４…補助板、１１１，２１１…縦線材、１１２，１３２，２１２，２３２…横線材、１３１，２３１…環状線材、１３３…第１胴縁部のスリット部、２３３…第２胴縁部のスリット部、２５１…天板部、２５２…底板部、２５３…一側板部，他側板部、２６１…締付部、２６２…連結部、３１１…第１取付面、３１２…第１取付部の係合凹部、３１３…第１取付部の固定用孔、３２１…固定片の係合凹部、３２２…固定片の固定用孔、３３１…第２取付面、３３２…係合部、３３３…第２取付部の固定用孔、３４１…補助板の係合凹部、３４２…補助板の固定用孔、２５１１…天板部の係合凹部、２５２１…底板部のスリット部、２５２２…係合壁部、２５３１…挿通孔、２６１１…締付孔、２６１２…締付部の係合凹部、２６２１…切欠部、１１ａ…第１柵本体の表面、１１ｂ…第１柵本体の裏面、１２ａ…第１胴縁部の内面、１２ｂ…第１胴縁部の外面、２１ａ…第２柵本体の表面、２１ｂ…第２柵本体の裏面、２２ａ…第２胴縁部の内面、２２ｂ…第２胴縁部の外面、３３ａ…第２取付部の表面、３３ｂ…第２取付部の裏面、Ｘ１，Ｘ２…矢印
【図１】
2009243197.tif 000003
【図２】
2009243197.tif 000004
【図３】
2009243197.tif 000005
【図４】
2009243197.tif 000006
【図５】
2009243197.tif 000007
【図６】
2009243197.tif 000008
【図７】
2009243197.tif 000009
【図８】
2009243197.tif 000010
【図９】
2009243197.tif 000011
【図１０】
2009243197.tif 000012
【図１１】
2009243197.tif 000013
【図１２】
2009243197.tif 000014